(57)【要約】要約  本発明は、安定して排水を処理することができる排水処理装置及び排水処理方法を提供する。  排水処理設備１０はＦＯ膜ユニット２１を備え、ＦＯ膜ユニット２１は海洋中に浸漬され、また、ＦＯ膜ユニット２１は、ＦＯ膜３１及びＦＯ膜３１を取り付けるための基本部材３２を備え、ＦＯ膜３１及び基本部材３２によって形成される内部空間３５を有し、その内部空間３５には処理すべき排水が供給される。
2020129705.tif 000002
【特許請求の範囲】
【請求項１】
夾雑物、溶解性物質及び水分を含む排水、並びに、水分を含み且つ前記排水以外の駆動溶液の間に配設され、前記排水から受ける圧力が前記駆動溶液から受ける圧力よりも高い場合、前記排水に含まれる水分を透過するとともに、前記排水から前記夾雑物及び溶解性物質を取り除く除去手段と、
前記除去手段に基づいて構成される領域に前記排水を供給する供給手段と、を備え、
前記除去手段は前記駆動溶液に浸漬されていることを特徴とする排水処理装置。
【請求項２】
前記領域に供給された排水から前記駆動溶液に移動した水分を除く濃縮排水を集水する集水手段を備える請求項１記載の排水処理装置。
【請求項３】
前記供給手段は複数の供給孔を有し、前記集水手段は複数の集水孔を有することを特徴とする請求項２記載の排水処理装置。
【請求項４】
前記領域は流路材を有することを特徴とする請求項１乃至３のいずれか１項に記載の排水処理装置。
【請求項５】
前記駆動溶液は海水であり、前記除去手段は海洋中に浸漬されていることを特徴とする請求項１乃至４のいずれか１項に記載の排水処理装置。
【請求項６】
前記除去手段が前記駆動溶液の水位に基づいて変位するための浮揚手段を有することを特徴とする請求項１乃至５のいずれか１項に記載の排水処理装置。
【請求項７】
前記除去手段は前記駆動溶液が通過可能な保護手段に囲まれていることを特徴とする請求項１乃至６のいずれか１項に記載の排水処理装置。
【請求項８】
前記除去手段及び前記保護手段は前記駆動溶液が通過可能な他の保護手段に基づいて構成される領域に配置されていることを特徴とする請求項１乃至７のいずれか１項に記載の排水処理装置。
【請求項９】
前記除去手段を係留する係留手段を備える請求項１乃至８のいずれか１項に記載の排水処理装置。
【請求項１０】
前記除去手段を洗浄する洗浄手段を備える請求項１乃至９のいずれか１項に記載の排水処理装置。
【請求項１１】
前記濃縮排水からバイオガスを生成する生成手段と、
前記バイオガスが生成されるときに生じる消化液を脱水して脱水ろ液を取得する取得手段と、
前記脱水ろ液に含まれるアンモニアを亜硝酸又は硝酸に変換し、前記亜硝酸又は前記硝酸を窒素に変換する変換手段とを備える請求項２乃至１０のいずれか１項に記載の排水処理装置。
【請求項１２】
前記アンモニアを前記窒素に変換した変換手段は、前記除去手段に接触する前の排水に移送されることを特徴とする請求項１１に記載の排水処理装置。
【請求項１３】
夾雑物、溶解性物質及び水分を含む排水、並びに、水分を含み且つ前記排水以外の駆動溶液の間に配設され、前記排水から受ける圧力が前記駆動溶液から受ける圧力よりも高い場合、前記排水に含まれる水分を透過するとともに、前記排水から前記夾雑物及び溶解性物質を取り除く除去手段と、前記除去手段に基づいて構成される領域に前記排水を供給する供給手段と、を備え、前記除去手段は前記駆動溶液に浸漬されている排水処理装置を用いた排水処理方法において、
前記排水が前記除去手段に供給される供給ステップと、
前記排水に含まれる水分が前記除去手段を浸透して前記駆動溶液に移動する移動ステップと、を有することを特徴とする排水処理方法。
【発明の詳細な説明】
【技術分野】
【０００１】
本発明は排水処理装置及び排水処理方法に関する。
【背景技術】
【０００２】
従来より、下水等の排水を処理するために、好気性微生物を含む活性汚泥を用いた排水処理設備が知られている（例えば、特許文献１参照。）。図５は従来の排水処理設備５０を概略的に示すブロック図であり、図５の排水処理設備５０は、沈砂池５１、最初沈殿池５２、生物反応槽５３、最終沈澱池５４、滅菌槽５５、メタン発酵設備５６、及び脱水設備５７を備える。【０００３】
図５の排水処理設備５０において、まず、処理される排水は沈砂池５１に流入する。沈砂池５１では排水から排水中に含まれる石や木片等の比較的大きな異物が除去され、比較的大きな異物が除去された排水は最初沈殿池５２に流入する。最初沈殿池５２では沈砂池５１で除去されなかった比較的小さな異物（以下、「初沈汚泥」という。）が除去され、初沈汚泥が除去された排水は生物反応槽５３に流入する。生物反応槽５３では排水中の有機物等が活性汚泥によって除去され、有機物等が除去された排水は最終沈澱池５４に流入する。最終沈澱池５４では活性汚泥が除去され、活性汚泥が除去された排水は滅菌槽５５に流入し、滅菌槽５５では最終沈澱池５４を通過した排水が消毒され、その後、消毒された排水は河川等に放流される。また、最終沈澱池５４で除去された活性汚泥の一部は返送汚泥として生物反応槽５３に返送される。【０００４】
最終沈澱池５４で除去された活性汚泥の一部であって返送汚泥以外の活性汚泥（以下、「余剰汚泥」という。）及び最初沈殿池５２で発生した初沈汚泥はメタン発酵設備５６に移送される。メタン発酵設備５６ではメタン発酵処理が初沈汚泥や余剰汚泥（以下、「消化対象汚泥」という。）に施され、その結果、バイオガス及び発酵残渣である消化液が生成され、バイオガスはエネルギーとして回収される。一方、消化液は脱水設備５７に移送され、脱水処理が実行される。脱水処理が消化液に施されると、消化液は脱水ケーキ及び脱水ろ液に分離され、脱水ろ液は沈砂池５１に返送される。【０００５】
ところで、従来より、生物反応槽５３は活性汚泥に酸素を供給するために曝気装置（不図示）を備える。曝気装置の消費電力量は大きく、曝気装置の消費電力量の削減が要請されている。また、従来より、排水処理設備５０の簡単な管理を実現するために排水処理設備５０の簡略化が要請されている。これらに対応して、ＦＯ（Forward Osmosis）膜を用いた排水処理設備が提案されている。【０００６】
図６はＦＯ膜６５ａを用いた排水処理設備６０を概略的に示すブロック図である。図６のＦＯ膜６５ａを用いた排水処理設備６０は、沈砂池６１、最初沈殿池６２、メタン発酵設備６３、及び脱水設備６４を備えるとともに、ＦＯ膜設備６５、駆動溶液導入設備６６及び駆動溶液循環設備６７を備える。すなわち、図６のＦＯ膜を用いた排水処理設備６０は、図５の排水処理設備５０の生物反応槽５３、最終沈澱池５４及び滅菌槽５５に代えてＦＯ膜設備６５を備え、また、ＦＯ膜設備６５で排水を処理するために必要な駆動溶液ＤＳ（Draw Solution）をＦＯ膜設備６５に導入するための駆動溶液導入設備６６や駆動溶液ＤＳを循環するための駆動溶液循環設備６７を備える。【０００７】
図６のＦＯ膜６５ａを用いた排水処理設備６０において、沈砂池６１及び最初沈殿池６２を順次通過した排水はＦＯ膜設備６５に流入する。また、所定の溶質濃度に調整された塩化ナトリウム水溶液等の駆動溶液ＤＳが駆動溶液導入設備６６及び駆動溶液循環設備６７を経由してＦＯ膜設備６５に流入する。ＦＯ膜設備６５は、例えば、半浸透膜であるＦＯ膜６５ａを有し、ＦＯ膜６５ａは排水及び駆動溶液ＤＳの間に介在するように配置されている。駆動溶液ＤＳの溶質濃度が下水等の排水の溶質濃度よりも高いとき、ＦＯ膜６５ａが排水から受ける圧力は駆動溶液ＤＳから受ける圧力よりも高く、排水に含まれる水分のみがＦＯ膜６５ａを透過して駆動溶液ＤＳに移動し、排水に含まれる夾雑物及び溶解性物質はＦＯ膜６５ａに捕捉される。【０００８】
ＦＯ膜設備６５に流入した排水中の水分はＦＯ膜６５ａを透過して駆動溶液ＤＳに移動する。排水中の水分を含む駆動溶液ＤＳの一部は、駆動溶液循環設備６７に返送された後にＦＯ膜設備６５に流入し、その他の排水中の水分を含む駆動溶液ＤＳは、例えば、海洋等に放流される。【０００９】
一方、ＦＯ膜設備６５に流入した排水中の夾雑物及び溶解性物質はＦＯ膜６５ａに捕捉され、ＦＯ膜６５ａに捕捉された排水中の夾雑物及び溶解性物質、並びに、最初沈殿池６２で発生した初沈汚泥（以下、「消化対象汚泥」という。）はメタン発酵設備６３に移送され、メタン発酵処理が実行される。メタン発酵処理が消化対象汚泥に施されると、バイオガス及び発酵残渣である消化液が生成され、バイオガスはエネルギーとして回収される。一方、消化液は脱水設備６４に移送され、脱水処理が実行される。脱水処理が消化液に施されると、消化液は脱水ケーキ及び脱水ろ液に分離され、脱水ろ液はＦＯ膜設備６５に返送される。【００１０】
それゆえに、ＦＯ膜６５ａを用いた排水処理設備６０によって排水処理を確実に実行するためには、駆動溶液ＤＳの溶質濃度を下水等の排水の溶質濃度よりも高く調整する必要があり、また、継続して安定した排水処理を実行するためには、排水に含まれる水分がＦＯ膜６５ａを透過して駆動溶液ＤＳに移動することにより、駆動溶液ＤＳの溶質濃度が低下することを考慮した上で駆動溶液ＤＳの溶質濃度を調整する必要がある。
【先行技術文献】
【特許文献】
【００１１】
【特許文献１】特開２００６−２４７４９３号公報
【発明の概要】
【発明が解決しようとする課題】
【００１２】
しかしながら、ＦＯ膜６５ａを透過して駆動溶液ＤＳに移動する排水に含まれる水分の量は、例えば、処理される排水の量によって変化するため、駆動溶液ＤＳの濃度変化を予測できず、予め適切な溶質濃度の駆動溶液ＤＳを調整することができないという問題がある。また、予め過度な高溶質濃度の駆動溶液ＤＳを調整し、駆動溶液ＤＳの濃度が低下したときにその高溶質濃度の駆動溶液ＤＳをＦＯ膜設備６５に導入すれば、駆動溶液ＤＳの溶質濃度は必ず下水等の排水の溶質濃度よりも高いので、安定した排水処理を実行することができるが、そのためには、駆動溶液ＤＳの溶質濃度を常に監視し、駆動溶液ＤＳの溶質濃度に応じて過度な高溶質濃度の駆動溶液ＤＳをＦＯ膜設備６５に導入しなければならないという新たな手間が生じる。【００１３】
すなわち、ＦＯ膜６５ａを用いた排水処理を実行する際に新たな手間を生じることなく安定して排水を処理することができないという問題があった。【００１４】
本発明の目的は、安定して排水を処理することができる排水処理装置及び排水処理方法を提供することにある。
【課題を解決するための手段】
【００１５】
上記目的を達成するために、本発明の排水処理装置は、夾雑物、溶解性物質及び水分を含む排水、並びに、水分を含み且つ前記排水以外の駆動溶液の間に配設され、前記排水から受ける圧力が前記駆動溶液から受ける圧力よりも高い場合、前記排水に含まれる水分を透過するとともに、前記排水から前記夾雑物及び溶解性物質を取り除く除去手段と、前記除去手段に基づいて構成される領域に前記排水を供給する供給手段と、を備え、前記除去手段は前記駆動溶液に浸漬されていることを特徴とする。【００１６】
上記目的を達成するために、本発明の排水処理方法は、夾雑物、溶解性物質及び水分を含む排水、並びに、水分を含み且つ前記排水以外の駆動溶液の間に配設され、前記排水から受ける圧力が前記駆動溶液から受ける圧力よりも高い場合、前記排水に含まれる水分を透過するとともに、前記排水から前記夾雑物及び溶解性物質を取り除く除去手段と、前記除去手段に基づいて構成される領域に前記排水を供給する供給手段と、を備え、前記除去手段は前記駆動溶液に浸漬されている排水処理装置を用いた排水処理方法において、
前記排水が前記除去手段に供給される供給ステップと、
前記排水に含まれる水分が前記除去手段を浸透して前記駆動溶液に移動する移動ステップと、を有することを特徴とする。
【発明の効果】
【００１７】
本発明によれば、安定して排水を処理することができる。
【図面の簡単な説明】
【００１８】
【図１】本発明の実施の形態に係る排水処理設備を概略的に示すブロック図である。
【図２】図１における海洋浸漬装置を説明するために用いられる図である。
【図３】図２におけるＦＯ膜ユニットを説明するために用いられる図である。
【図４】図１の排水処理設備によって実行される排水処理の手順を示すフローチャートである。
【図５】従来の排水処理設備を概略的に示すブロック図である。
【図６】ＦＯ膜を用いた排水処理設備を概略的に示すブロック図である。
【発明を実施するための形態】
【００１９】
以下、本発明の実施の形態について図面を参照しながら詳述する。
【００２０】
図１は、本発明の実施の形態に係る排水処理設備１０を概略的に示すブロック図である。
【００２１】
図１の排水処理設備１０（排水処理装置）は、沈砂池１１、最初沈殿池１２、循環ポンプ１３ａを有する供給溶液循環設備１３、海洋浸漬装置１４、メタン発酵設備１５（生成手段）、脱水設備１６（取得手段）、及び生物反応槽１７を備え、下水等の排水を処理する。図１の排水処理設備１０において、まず、処理される排水は沈砂池１１に流入する。沈砂池１１では沈砂池１１に流入した排水中に含まれる石や木片等の比較的大きな異物が除去され、比較的大きな異物が除去された排水は最初沈殿池１２に流入する。最初沈殿池１２では初沈汚泥が除去され、初沈汚泥が除去された排水は供給溶液循環設備１３を経由して海洋浸漬装置１４に流入する。なお、初沈汚泥はメタン発酵設備１５に移送される。
【００２２】
図２は、図１における海洋浸漬装置１４を説明するために用いられる図である。
【００２３】
図２の海洋浸漬装置１４はＦＯ膜ユニット２１及び浮子２２（浮揚手段）を備え、ＦＯ膜ユニット２１は海洋中に浸漬されている。ＦＯ膜ユニット２１は海水面の水位が変化しても浮子２２の浮力に基づいて移動し、海水面付近に位置する。ＦＯ膜ユニット２１は供給連絡管２３及び集水連絡管２４を介して供給溶液循環設備１３に接続され、排水は循環ポンプ１３ａによって供給連絡管２３を経由してＦＯ膜ユニット２１に供給され、ＦＯ膜ユニット２１を通過した排水は集水連絡管２４を経由して供給溶液循環設備１３に戻る。
【００２４】
また、歩廊２５（係留手段）がＦＯ膜ユニット２１のメンテナンスを容易にするために設置されている。歩廊２５は、例えば、陸地接続部２５ａ、係留部２５ｂ、ヒンジ２５ｃ、メンテナンス部２５ｄ及び支柱２５ｅを備え、陸地接続部２５ａは陸地及び係留部２５ｂの一端を接続し、係留部２５ｂの他端はヒンジ２５ｃを介してメンテナンス部２５ｄに接続されている。さらに、メンテナンス部２５ｄは海底に固定された支柱２５ｅに接続され、海水面の水位に応じて支柱２５ｅに沿って移動する。メンテナンス部２５ｄはＦＯ膜ユニット２１が有する浮子２２の浮力によって海水面を浮遊している。
【００２５】
つまり、歩廊２５はヒンジ２５ｃを有するので、海水面の水位が変化してもメンテナンス部２５ｄは浮子２２の浮力に基づき支柱２５ｅに沿って移動し、海水面付近に位置する。その結果、ＦＯ膜ユニット２１のメンテナンスを実行する作業者は歩廊２５上を歩いてＦＯ膜ユニット２１に近づき、ＦＯ膜ユニット２１の交換、洗浄、又は点検等を実施する。なお、メンテナンス部２５ｄが海洋中に浸漬するのを確実に防止するために、別途、浮子２２がメンテナンス部２５ｄに付与されてもよい。
【００２６】
ＦＯ膜ユニット２１は、例えば、海洋異物によって損傷するのを防止するために防護網２６（保護手段）で囲まれてもよい。本実施の形態では、防護網２６は支柱２５ｅ及びＦＯ膜ユニット２１を囲むように設置されている。また、海洋浸漬装置１４及び防護網２６が浸漬される海域と、海洋浸漬装置１４及び防護網２６が浸漬されていない海域とに分割する防波堤２７（他の保護手段）が設置されてもよい。本実施の形態では、陸地に接続された歩廊２５、海洋浸漬装置１４及び防護網２６が当該陸地及び防波堤２７に囲まれた領域に浸漬されている。防波堤２７が設置されると、海水が海洋浸漬装置１４及び防護網２６が浸漬されていない海域から海洋浸漬装置１４及び防護網２６が浸漬される海域に流入するとき、防波堤２７はその海水の海波を抑制する。
【００２７】
図３は、図２におけるＦＯ膜ユニット２１を説明するために用いられる図であり、図３（Ａ）はＦＯ膜ユニット２１の正面図であり、図３（Ｂ）は図３（Ａ）におけるＡ-Ａ線に沿う断面図であり、図３（Ｃ）は図３（Ｂ）におけるＢ-Ｂ線に沿う断面図である。
【００２８】
図３のＦＯ膜ユニット２１は、平膜型のＦＯ膜３１（除去手段）、ＦＯ膜３１を取り付けるための基本部材３２、排水供給管３３（供給手段）、及び集水管３４（集水手段）を備え、ＦＯ膜３１が基本部材３２に取り付けられると、ＦＯ膜３１及び基本部材３２によって内部空間３５（領域）が形成される。ＦＯ膜３１及び基本部材３２によって形成された内部空間３５は流路材３６を有する（図３（Ｂ））。供給溶液循環設備１３からの排水は供給連絡管２３を経由して排水供給管３３に供給される。排水供給管３３は内部空間３５に対して複数の供給孔３７を有し、排水は各供給孔３７から内部空間３５に供給される。その後、排水は集水管３４に向けて内部空間３５を移動する（図３（Ｃ））。集水管３４は内部空間３５に対して複数の集水孔３８を有し、排水供給管３３から集水管３４に向けて内部空間３５を移動する排水は各集水孔３８から集水される。
【００２９】
ＦＯ膜３１は、夾雑物、溶解性物質及び水分を含む排水、並びに、駆動溶液ＤＳの間に配設され、排水から受ける圧力は駆動溶液ＤＳから受ける圧力よりも高いとき、排水に含まれる水分はＦＯ膜３１を透過して駆動溶液ＤＳに移動するとともに、排水に含まれる夾雑物及び溶解性物質はＦＯ膜３１で捕捉される。本実施の形態では、ＦＯ膜ユニット２１が海洋中に浸漬し、排水が内部空間３５を移動するため、ＦＯ膜３１は、夾雑物、溶解性物質及び水分を含む排水、並びに、駆動溶液ＤＳである海水の間に配設されている。また、排水の溶質濃度よりも海水の溶質濃度が高いため、ＦＯ膜３１が排水から受ける圧力は駆動溶液ＤＳから受ける圧力よりも高い。
【００３０】
したがって、排水が排水供給管３３の各供給孔３７から内部空間３５に供給されると、内部空間３５を移動する間に排水に含まれる水分はＦＯ膜３１を透過して海洋中に移動する。このとき、ＦＯ膜３１は０．０００１〜０．００１μｍの孔径を有するので、ＦＯ膜３１の孔径よりも大きい径を有する夾雑物及び溶解性物質はＦＯ膜３１の内部空間３５側で捕捉される。内部空間３５を通過した排水（以下、「濃縮排水」という。）は各集水孔３８を経由して集水管３４に集水される。その後、濃縮排水は集水連絡管２４を経由して供給溶液循環設備１３に流入する。なお、ＦＯ膜３１としては、水分子を透過し夾雑物及び溶解性物質を捕捉する孔径を有するものであれば特に限定されず、従来公知のＦＯ膜を使用することができる。
【００３１】
図１に戻り、メタン発酵設備１５は発酵槽（不図示）を備え、発酵槽は濃縮排水を発酵するメタン菌を有する。メタン菌が濃縮排水を発酵すると、バイオガス及び発酵残渣である消化液が生成され、バイオガスはエネルギーとして回収される。一方、消化液は脱水設備１６に流入する。脱水設備１６は脱水処理を実行する。メタン発酵設備１５から脱水設備１６に流入した消化液には脱水処理が施され、消化液は脱水ケーキ及び脱水ろ液に分離される。脱水ケーキは環境への負荷を低減するために園芸用土やセメント原料等に活用される。また、脱水ろ液は生物反応槽１７に流入する。
【００３２】
ところで、一般的に、ＦＯ膜３１は排水中のアンモニアを全量捕捉することはできず、アンモニアの捕捉率は５０〜８０％程度である。したがって、ＦＯ膜ユニット２１が海洋中に浸漬されている場合、排水に含まれるアンモニアはＦＯ膜３１を透過して海洋中に放出され又は濃縮排水としてメタン発酵設備１５に流入する。メタン発酵設備１５に流入したアンモニアは、その後、脱水設備１６で脱水処理が実行されることによって得られる脱水ろ液に含まれる。
【００３３】
ここで、アンモニアを含有する脱水ろ液が、再度、海洋浸漬装置１４に返送されると、海洋浸漬装置１４に返送される脱水ろ液に含有されるアンモニア、並びに、沈砂池１１及び最初沈殿池１２を経由して海洋浸漬装置１４に流入する排水に含まれるアンモニアは、ＦＯ膜３１を透過して海洋中に放出され又は濃縮排水としてメタン発酵設備１５に流入する。
【００３４】
したがって、アンモニアを含有する脱水ろ液が海洋浸漬装置１４に返送されると、脱水ろ液が海洋浸漬装置１４に返送されない場合と比較して、海洋浸漬装置１４からメタン発酵設備１５に流入する排水中のアンモニア濃度は上昇する。
【００３５】
メタン発酵設備１５に流入するアンモニアの濃度が高いとき、発酵槽に流入する濃縮排水のｐＨはメタン菌の最適な活性を実現するためのｐＨである７を超えるため、発酵槽の内部の温度に応じてメタン菌の活性が低下する。その結果、バイオガスの生成量は減少し且つ高濃度のアンモニアを有する消化液が回収される（アンモニア阻害）。
【００３６】
これに対応して、本実施の形態では、脱水ろ液に含まれるアンモニアは、脱水ろ液を生物反応槽１７に移送することによって処理される。具体的に、生物反応槽１７は微生物を含む有機汚泥である活性汚泥（変換手段）を有し、活性汚泥は、嫌気好気法、Ａ２Ｏ法、膜分離活性汚泥法等の窒素除去が可能な活性汚泥法（以下、「窒素除去活性汚泥法」という）に基づいて硝化反応及び脱窒反応を実行する。これにより、脱水ろ液に含まれるアンモニアは亜硝酸や硝酸に変換された後に窒素に変換される。
【００３７】
また、脱水ろ液に含まれるアンモニアが窒素に変換されることによって除去されたとき、活性汚泥はアンモニアが除去された後の脱水ろ液（以下、「脱アンモニア処理水」という。）に分散されている。したがって、生物反応槽１７は活性汚泥及び脱アンモニア処理水を分離するための分離装置（不図示）を備えてもよい。
【００３８】
分離装置は、例えば、精密ろ過膜(MF (Microfiltration)膜)や限外ろ過膜(UF (Ultrafiltration)膜）であり、ＭＦ膜やＵＦ膜は活性汚泥を捕捉するとともに、脱アンモニア処理水を透過する。これにより、活性汚泥及び脱アンモニア処理水は分離される。また、分離装置は、例えば、沈殿装置であってもよい。沈殿装置において、活性汚泥が沈殿することによって活性汚泥及び脱アンモニア処理水は分離される。分離された後の脱アンモニア処理水は、例えば、消毒されて河川等に放流されてもよく、清掃やトイレ等に使用してもよい。
【００３９】
一方、分離された後の活性汚泥は沈砂池１１に移送される。沈砂池１１に移送された活性汚泥（以下、「移送対象余剰汚泥」という。）は、その生死に関わらず、沈砂池１１に流入する排水中の金属イオンを吸着する。通常、沈砂池１１に流入する排水中の金属イオンがＦＯ膜ユニット２１に流入してＦＯ膜３１に接触すると、ＦＯ膜３１の本質的な性能を阻害するファウリング現象を引き起こす。しかしながら、排水中の金属イオンが沈砂池１１に流入したときに移送対象余剰汚泥に吸着されると、ＦＯ膜３１に接触する金属イオンは減少するので、ＦＯ膜３１のファウリング現象を起こりにくくすることができる。なお、金属イオンが吸着した移送対象余剰汚泥は初沈汚泥として除去される。
【００４０】
さらに、移送対象余剰汚泥は、金属イオン以外にも排水中の有機物等の一部も吸着する。ＦＯ膜３１で分離濃縮される成分の負荷低減に寄与する他、有機物に起因するＦＯ膜３１のファウリング現象を抑制する効果も期待できる。
【００４１】
アンモニアの一部がＦＯ膜３１を透過したとき、そのアンモニアは海洋中に放出されるが、海洋中へのアンモニアの放出は、海洋中の水生生物への影響が懸念されている。したがって、その影響を最小限にする必要がある。本実施の形態では、海洋浸漬装置１４の周辺であって防護網２６に囲まれた範囲内に藻類培養設備（不図示）を設けている。藻類培養設備では、アンモニアを摂取して成長する藻類を培養しているので、アンモニアが海洋中に放出されても、そのアンモニアは培養されている藻類によって海洋中から除去される。なお、藻類培養設備の周辺には、例えば、藻類の成長に適切な酸素濃度を制御する酸素濃度制御装置及び藻類の光合成に必要な光量を制御する光量制御装置を備えてもよい。
【００４２】
図４は、図１の排水処理設備１０によって実行される排水処理の手順を示すフローチャートである。
【００４３】
まず、処理される排水は沈砂池１１に流入する。沈砂池１１では沈砂池１１に流入した排水から排水中に含まれる石や木片等の比較的大きな異物が除去され、比較的大きな異物が除去された排水は最初沈殿池１２に流入する（Ｓ４０１）。最初沈殿池１２では沈砂池１１で除去されなかった初沈汚泥が除去され（Ｓ４０２）、初沈汚泥が除去された排水は供給溶液循環設備１３を経由して海洋浸漬装置１４に流入するとともに、初沈汚泥はメタン発酵設備１５に移送される。
【００４４】
海洋浸漬装置１４は海洋中に浸漬されているＦＯ膜ユニット２１を備え、ＦＯ膜ユニット２１は、ＦＯ膜３１、ＦＯ膜３１を取り付けるための基本部材３２、排水供給管３３、及び集水管３４を有する。ＦＯ膜３１が基本部材３２に取り付けられると、基本部材３２及びＦＯ膜３１によって内部空間３５が形成され、海洋浸漬装置１４に流入した排水は排水供給管３３を経由して内部空間３５に流入する（Ｓ４０３、供給ステップ）。内部空間３５に流入した排水は濃縮排水として内部空間３５を移動して集水管３４で集水される。
【００４５】
ここで、排水が内部空間３５を移動するとき、ＦＯ膜３１が排水及び海水の間に配設されるとともに、ＦＯ膜３１が排水から受ける圧力は海水から受ける圧力よりも高いため、排水に含まれる水分はＦＯ膜３１を浸透して海洋中に移動し（Ｓ４０４、移動ステップ）、夾雑物及び溶解性物質はＦＯ膜３１で捕捉される。このとき、排水に含まれるアンモニアはＦＯ膜３１を透過して海洋中に放出され又は濃縮排水としてメタン発酵設備１５に流入する。海洋浸漬装置１４の周辺には藻類培養設備が設けられ、ＦＯ膜３１を透過して海洋中に放出されたアンモニアは藻類培養設備で培養される藻類に摂取される。
【００４６】
集水された濃縮排水は供給溶液循環設備１３を経由してメタン発酵設備１５に流入する。メタン発酵設備１５は濃縮排水を発酵してバイオガス及び消化液を生成し（Ｓ４０５）、バイオガスはエネルギーとして回収され、消化液は脱水設備１６に流入する。脱水設備１６は脱水処理を実行し、消化液を脱水ケーキ及びアンモニアを含む脱水ろ液に分離する。脱水ケーキは環境への負荷を低減するために園芸用土やセメント原料等に活用され、脱水ろ液は生物反応槽１７に流入する。
【００４７】
生物反応槽１７は活性汚泥を有し、窒素除去活性汚泥法に基づいて生物処理、具体的に、硝化反応及び脱窒反応を実行する（Ｓ４０６）。これにより、脱水ろ液に含まれるアンモニアは亜硝酸や硝酸に変換された後に亜硝酸や硝酸を窒素に変換される。その後、脱アンモニア処理水に分散されている活性汚泥は脱アンモニア処理水から分離され、沈砂池１１に移送される（Ｓ４０７）。沈砂池１１に移送された移送対象余剰汚泥は沈砂池１１に流入する排水中の金属イオンや有機物等を吸着する。一方、脱アンモニア処理水は、例えば、消毒されて河川等に放流され、本処理は終了する。
【００４８】
本実施の形態の排水処理設備１０によれば、ＦＯ膜ユニット２１を備え、ＦＯ膜ユニット２１は海洋中に浸漬されている。ＦＯ膜ユニット２１は、ＦＯ膜３１及びＦＯ膜３１を取り付けるための基本部材３２を備え、ＦＯ膜３１及び基本部材３２によって形成される内部空間３５を有し、その内部空間３５には処理すべき排水が供給される。ここで、駆動溶液ＤＳである海水は内部空間３５に供給される排水の量に対して多量に存在するので、排水中の水分がＦＯ膜３１を透過して海水に移動しても、海水の溶質濃度は著しく低下しない。したがって、駆動溶液ＤＳの濃度変化を予測して予め適切な溶質濃度の駆動溶液ＤＳを調整する必要はなく、また、過度な高溶質濃度の駆動溶液ＤＳを調整し且つその駆動溶液ＤＳを適宜ＦＯ膜３１に供給する必要もないため、安定して排水を処理することができる
【００４９】
また、ＦＯ膜ユニット２１は排水供給管３３及び集水管３４を備え、排水供給管３３は内部空間３５に対して複数の供給孔３７を有するとともに、集水管３４は内部空間３５に対して複数の集水孔３８を有する。これにより、排水は各供給孔３７から内部空間３５に供給され、各集水孔３８から集水されるので、内部空間３５内部に排水の流路を形成することができ、もって、規則的な排水処理を実行することができる。このとき、内部空間３５は流路材３６を有するので、例えば、排水や海水から受ける圧力に基づいてＦＯ膜ユニット２１が変形するのを防止することができる。
【００５０】
さらに、海洋浸漬装置１４はＦＯ膜ユニット２１及び浮子２２を有する。これにより、例えば、海水の水位が変化した場合であっても、浮子２２の浮力に基づいてＦＯ膜ユニット２１は海水の水面付近に位置するので、ＦＯ膜ユニット２１のメンテナンスを容易にすることができる。また、海洋浸漬装置１４及び防護網２６は陸地及び防波堤２７に囲まれた領域に浸漬されている。海水は防波堤２７を通過するが、このとき、防波堤２７は海波を抑制するので、海洋浸漬装置１４及び防護網２６が海波によって損傷するのを防止することができる。
【００５１】
また、防波堤２７は海水の海波を抑制するが、その海波は消失せず穏やかになる。穏やかな海波の海水がＦＯ膜ユニット２１に衝突すると、例えば、その穏やかな海波に基づいて、ＦＯ膜３１に捕捉され且つＦＯ膜３１に付着した夾雑物及び溶解性物質がＦＯ膜３１の表面から剥落する。その結果、ＦＯ膜３１に夾雑物及び溶解性物質が蓄積しにくくなり、ＦＯ膜３１が排水中の水分を透過し且つ排水中の夾雑物及び溶解性物質を捕捉するＦＯ膜３１の本質的な性能を長期的に維持することができる。
【００５２】
さらに、ＦＯ膜ユニット２１のメンテナンスを容易にするために歩廊２５が設置され、歩廊２５は係留部２５ｂ及びメンテナンス部２５ｄを有し、メンテナンス部２５ｄは陸地接続部２５ａ、係留部２５ｂ及びヒンジ２５ｃを介して陸地に接続されている。これにより、メンテナンス部２５ｄが台風等の自然災害の発生によって消失するのを防止することができる。また、メンテナンス部２５ｄを陸地に接続するために、係留部２５ｂを介在させればよいので、海上へのメンテナンス部２５ｄを簡単に設置することができる。
【００５３】
また、メタン発酵設備１５は発酵槽を備え、発酵槽は濃縮排水を発酵するメタン菌を有する。メタン菌が濃縮排水を発酵すると、バイオガス及び発酵残渣である消化液が生成され、消化液は脱水されて脱水ケーキ及び脱水ろ液に分離される。脱水ろ液は、ＦＯ膜３１が排水中のアンモニアの全量を捕捉しないために高濃度のアンモニアを含み、そのアンモニアは生物反応槽１７で活性汚泥によって亜硝酸や硝酸に変換され、その後、亜硝酸や硝酸を窒素に変換される。これにより、メタン発酵設備１５に高濃度のアンモニアが流入するのを防止することができる。その結果、発酵槽の内部の温度に関わらずメタン菌の活性は低下せず、アンモニア阻害は起こらないので、安定してバイオガスを生成することができる。
【００５４】
なお、防波堤２７を通過した海水の海波は穏やかになり、その海水がＦＯ膜ユニット２１に衝突することによってＦＯ膜３１の表面から夾雑物及び溶解性物質が剥落することを説明したが、穏やかな海波の海水がＦＯ膜３１の表面に衝突しても、ＦＯ膜３１の表面から夾雑物及び溶解性物質が剥落せず、その結果、ＦＯ膜３１の表面に夾雑物及び溶解性物質が蓄積してＦＯ膜３１の本質的な性能が失われる場合がある。
【００５５】
これに対応して、ＦＯ膜３１の洗浄機構（洗浄手段）を設置してもよい。具体的に、ＦＯ膜３１の洗浄機構としてＦＯ膜３１の表面に気泡状の空気を供給する空気洗浄装置やＦＯ膜３１の表面に振動を供給する振動装置、ＦＯ膜３１の周辺に水流を発生させる水流発生装置が設置される。気泡状の空気や振動がＦＯ膜３１の表面に供給され又は水流がＦＯ膜３１の周辺に発生すると、海水の海波がＦＯ膜３１の表面に衝突するよりも大きい負荷がＦＯ膜３１の表面にかかり、ＦＯ膜３１の表面から夾雑物及び溶解性物が剥落してＦＯ膜３１の性能を回復することができる。
【００５６】
また、ＦＯ膜３１の洗浄機構としてＦＯ膜３１に対してアルカリ洗浄剤や酸性洗浄剤を供給する薬液洗浄装置が設置される。これにより、ＦＯ膜３１の表面に蓄積した夾雑物及び溶解性物質がアルカリ洗浄剤や酸性洗浄剤によって溶解等され、ＦＯ膜３１の表面から夾雑物及び溶解性物が除去されてＦＯ膜３１の性能を回復することができる。
【００５７】
さらに、ＦＯ膜３１の洗浄機構としてＦＯ膜ユニット２１に対して海水よりも溶質濃度の高い水溶液を洗浄溶液として供給する供給装置が設置される。これにより、排水の代わりに洗浄溶液が内部空間３５に供給され、その結果、ＦＯ膜３１が海水及び洗浄溶液の間に介在する。このとき、ＦＯ膜３１が洗浄溶液から受ける圧力は海水から受ける圧力よりも低いので、海水の水分がＦＯ膜３１を透過し、ＦＯ膜３１の表面から夾雑物及び溶解性物が剥落してＦＯ膜３１の性能を回復することができる。
【００５８】
以上、本発明について、上述した実施の形態を用いて説明したが、本発明は上述した実施の形態に限定されるものではない。
【符号の説明】
【００５９】
ＤＳ  駆動溶液
１３  供給溶液循環設備
１４  海洋浸漬装置
２１  ＦＯ膜ユニット
２２  浮子
３１  ＦＯ膜
３３  排水供給管
３４  集水管
３５  内部空間
【図１】
2020129705.tif 000003
【図２】
2020129705.tif 000004
【図３】
2020129705.tif 000005
【図４】
2020129705.tif 000006
【図５】
2020129705.tif 000007
【図６】
2020129705.tif 000008
【国際調査報告】
2020129705.tif 000009
2020129705.tif 000010
2020129705.tif 000011
2020129705.tif 000012
2020129705.tif 000013